(57)【特許請求の範囲】
【請求項１】
取付孔近傍の下水道本管外周面に鍔部内面が当接可能な断面円弧状の鍔部、および鍔部外面から立設し、内周に周設した段部の複数箇所からガイド用突壁を上方へ延設した外円筒を有するフランジと、
一組の凹部を内周壁に対向して形成し、凹部上端の各凹部側面に軸溝を形成し、凹部中部の各凹部側面に突起を複数組突設し、前記ガイド用突壁に嵌まる突状を外周面に形成し円筒下部がフランジ内に嵌め込まれ、中間部外周にネジを形成してなり、段部下側の外円筒内周と内円筒外周間の隙間内へ環状パッキンを詰め込んだ内円筒と、
凹部内に嵌め込み可能な縦板部と縦板部下端から横方向に延設する引っ掛部とからなり、前記縦板部の両側面に、前記軸溝に軸支可能なピンおよび前記突起を案内するためのＬ字溝を形成した断面略Ｌ字状の爪片と、
前記ネジに嵌まるネジ溝を内周に設けハンドルを外周に形成してなり、前記内円筒に嵌めこんで締付けることにより前記内円筒を上方向へ変位させる締付輪とからなるメカロック支管を用いた取付管と下水道本管との接続方法であって、
可撓継手により前記メカロック支管を先端に取り付けた取付管をケーシングの中へ通して、下水道本管の取付孔に前記メカロック支管の前記鍔部を当接する取付管挿入工程と、  拡張用治具を前記取付管の中へ通して円筒下部内へ臨ませて前記爪片を拡げ、該爪片を前記下水道本管の取付孔孔縁に掛止する爪片掛止工程と、
掴持部で前記ハンドルを掴むことが可能なハンドル回転用筒を、前記ケーシングと前記取付管との隙間を通して前記締付輪に臨ませ、前記ハンドルを廻して前記メカロック支管を前記下水道本管に接続するハンドル回転工程と、
前記ハンドル回転用筒を引き上げる引き上げ工程とからなる取付管と下水道本管との接続方法。
【請求項２】
取付孔近傍の下水道本管外周面に鍔部内面が当接可能な断面円弧状の鍔部、および鍔部外面から立設し、内周に周設した段部の複数箇所からガイド用突壁を上方へ延設した外円筒を有するフランジと、
一組の凹部を内周壁に対向して形成し、凹部上端の各凹部側面に軸溝を形成し、凹部中部の各凹部側面に突起を複数組突設し、前記ガイド用突壁に嵌まる突状を外周面に形成し円筒下部がフランジ内に嵌め込まれ、中間部外周にネジを形成してなり、段部下側の外円筒内周と内円筒外周間の隙間内へ環状パッキンを詰め込んだ内円筒と、
凹部内に嵌め込み可能な縦板部と縦板部下端から横方向に延設する引っ掛部とからなり、前記縦板部の両側面に、前記軸溝に軸支可能なピンおよび前記突起を案内するためのＬ字溝を形成した断面略Ｌ字状の爪片と、
前記ネジに嵌まるネジ溝を内周に設けハンドルを外周に形成してなり、前記内円筒に嵌めこんで締付けることにより前記内円筒を上方向へ変位させる締付輪とからなるメカロック支管を用いた取付管と下水道本管との接続方法であって、
ボーリングマシンを用い、金属製のケーシングを地中推進させてケーシング先端を下水道本管へ到達させるケーシング推進工程と、
先端にビットを取り付けたコアカッターを前記ケーシングの中に入れ、前記コアカッターを回転させ先端のビットで前記下水道本管に取付孔を開ける取付孔開孔工程と、
前記コアカッターを前記ケーシングから抜き、可撓継手により前記メカロック支管を先端に取り付けた取付管をケーシングの中へ通して、下水道本管の取付孔に前記メカロック支管の前記鍔部を当接する取付管挿入工程と、
拡張用治具を前記取付管の中へ通して円筒下部内へ臨ませて前記爪片を拡げ、該爪片を前記下水道本管の取付孔孔縁に掛止する爪片掛止工程と、
掴持部で前記ハンドルを掴むことが可能なハンドル回転用筒を、前記ケーシングと前記取付管との隙間を通して前記締付輪に臨ませ、前記ハンドルを廻して前記メカロック支管を前記下水道本管に接続するハンドル回転工程と、
前記ハンドル回転用筒を引き上げる引き上げ工程とからなる取付管と下水道本管との接続方法。
【発明の詳細な説明】
【技術分野】
【０００１】
本発明は、民家から排出される汚水等を流すための取付管と下水道本管とを接続する接続方法に関する。
【背景技術】
【０００２】
下水道本管と汚水枡間の接続に、環状凸状を外周に設けたゴム継手を用いる技術が知られている（特許文献１参照）。
【０００３】
取付管と下水道本管との接続は、以下の様に行っている。
工法１：人力で取付孔を下水道本管に開ける
土留内へ降り、取付孔を下水道本管に人力で開ける。
支管を取付孔に人力で取り付ける。
【０００４】
工法２：ボーリングマシンによる削孔
（１）ボーリングマシンを用い、鋼管製のケーシングを回転（圧入も可）させながら地中を推進させ、ケーシング先端を下水道本管へ到達させる。
（２）先端にビットを取り付けたコアカッターをケーシングの中に入れ、コアカッターを回転させ先端のビットで下水道本管に取付孔を開ける。取付孔を開けた後にコアカッターを抜く。
【０００５】
（３）樹脂支管を先端に取り付けた取付管を削孔内に入れ、下水道本管の取付孔まで取付管を下ろす。なお、接着剤を樹脂支管の内側湾曲面へ塗っておく。
（４）取付管を強く押圧し、下水本管外周面と樹脂支管の内側湾曲面とを接着させる。
【特許文献１】特開２００２−５４２２０号公報
【発明の開示】
【発明が解決しようとする課題】
【０００６】
上記特許文献１は、ゴム継手による、下水道本管と汚水枡間の接続に手間がかかるという課題がある。
上記工法１は、危険を伴うとともに、手間がかかる。
上記工法２は、樹脂支管の内側湾曲面が下水道本管外周面へ均等に押されない場合が多く、この場合には、下水道本管外周面と樹脂支管とが上手く接合されず、水密性を維持できない。
【０００７】
本発明の目的は、取付管を地上から遠隔操作で下水道本管の取付孔に水密的に接続する取付管と下水道本管との接続方法の提供にある。
【課題を解決するための手段】
【０００８】
（請求項１について）
取付管と下水道本管との接続方法は、下記に示すメカロック支管を用い、後述する工程を経て行う。なお、何らかの方法により、地中の下水道本管に取付孔を開け、後端が地表に位置するケーシングの前端を取付孔に臨ませている。
メカロック支管は、取付孔近傍の下水道本管外周面に鍔部内面が当接可能な断面円弧状の鍔部、および鍔部外面から立設し、内周に周設した段部の複数箇所からガイド用突壁を上方へ延設した外円筒を有するフランジと、一組の凹部を内周壁に対向して形成し、凹部上端の各凹部側面に軸溝を形成し、凹部中部の各凹部側面に突起を複数組突設し、ガイド用突壁に嵌まる突状を外周面に形成し円筒下部がフランジ内に嵌め込まれ、中間部外周にネジを形成してなり、段部下側の外円筒内周と内円筒外周間の隙間内へ環状パッキンを詰め込んだ内円筒と、凹部内に嵌め込み可能な縦板部と縦板部下端から横方向に延設する引っ掛部とからなり、縦板部の両側面に、軸溝に軸支可能なピンおよび突起を案内するためのＬ字溝を形成した断面略Ｌ字状の爪片と、ネジに嵌まるネジ溝を内周に設けハンドルを外周に形成してなり、内円筒に嵌めこんで締付けることにより内円筒を上方向へ変位させる締付輪とからなる。
【０００９】
なお、内円筒の軸溝は、両方の凹部側面に、凹部上端から下方に向かって形成され、
複数組の突起は凹部側面から横方向に突出する様に、凹部中部から凹部下部に亘って形成されている。
また、爪片のピンは、縦板部の両方の側面の上部に、横方向に突出する様に形成されており、Ｌ字溝は爪片の縦板部の両方の側面の中部から下部に亘って形成されている。
【００１０】
（取付管挿入工程）
可撓継手により先端にメカロック支管を取り付けた取付管をケーシングの中へ通して、下水道本管の取付孔にメカロック支管の鍔部を当接する。なお、鍔部内面が取付孔近傍の下水道本管外周面に当接可能な断面円弧状を呈するので、取付孔近傍の下水道本管外周面を鍔部が覆う様にセットすることができる。
【００１１】
（爪片掛止工程）
拡張用治具を取付管の中へ通して円筒下部内へ臨ませると、拡張用治具に押されて爪片が拡がる。この際、軸溝内のピンを支点として爪片が回動し、Ｌ字溝内を突起が案内されるので、爪片の縦板部が凹部内に嵌め込まれ、爪片の引っ掛部が下水道本管の取付孔孔縁を掛止する。
【００１２】
（ハンドル回転工程）
ケーシングと取付管との隙間へハンドル回転用筒を挿入し、ハンドル回転用筒を締付輪に臨ませ、掴持部でハンドルを掴む。
掴持部がハンドルを掴んでいるので、地上でハンドル回転用筒を回すとハンドルが廻る。
【００１３】
内円筒の円筒下部がフランジ内に嵌め込まれ、中間部外周にネジが形成され、段部下方の、円筒外周とフランジ内周間との隙間内へ環状パッキンを詰め込んでいるので、ハンドルを回すと、締付輪がフランジの外円筒を締め付けるので内円筒が上方向へ変位する。
メカロック支管は、取付孔近傍の下水道本管を、鍔部と爪片とで挟んでいるので、メカロック支管を介して、取付管を下水道本管の取付孔へ強固に接合できる。
（引き上げ工程）
掴持部をハンドルから外し、ハンドル回転用筒を地上に引き上げる。
【００１４】
請求項１の取付管と下水道本管との接続方法は、以下の利点を有する。
作業者は、地上から作業ができるので安全であるとともに、手間もからない。
メカロック支管を介して、取付管を下水道本管の取付孔へ強固に接合できるので、水密性が維持できる。
可撓継手により取付管の先端にメカロック支管を取り付けているので耐震性に優れる。  
【００１５】
（請求項２について）
取付管と下水道本管との接続方法は、下記に示すメカロック支管を用い、後述する工程を経て行う。
メカロック支管は、取付孔近傍の下水道本管外周面に鍔部内面が当接可能な断面円弧状の鍔部、および鍔部外面から立設し、内周に周設した段部の複数箇所からガイド用突壁を上方へ延設した外円筒を有するフランジと、内周壁に背向して一組の凹部が形成され、凹部上端の両方の凹部側面に軸溝が形成され、凹部中部の両方の凹部側面の複数位置に突起が複数組、突設され、円筒下部がフランジ内に嵌め込まれ、中間部外周にネジが形成され、段部下側の外円筒内周と内円筒外周間の隙間内へ環状パッキンを詰め込んだ内円筒と、凹部内に嵌め込み可能な縦板部と縦板部下端から横方向に延設する引っ掛部とからなり、縦板部の両側面に、軸溝に軸支可能なピンおよび突起を案内するためのＬ字溝を形成した断面略Ｌ字状の爪片と、ネジに嵌まるネジ溝を内周に設けハンドルを外周に形成してなり、内円筒に嵌めこんで締付けることにより内円筒を上方向へ変位させる締付輪とからなる。  
【００１６】
なお、内円筒の軸溝は、両方の凹部側面に、凹部上端から下方に向かって形成され、
複数組の突起は凹部側面から横方向に突出する様に、凹部中部から凹部下部に亘って形成されている。
また、爪片のピンは、縦板部の両方の側面の上部に、横方向に突出する様に形成されており、Ｌ字溝は爪片の縦板部の両方の側面の中部から下部に亘って形成されている。
【００１７】
（ケーシング推進工程）
ボーリングマシンを用い、金属製のケーシングを回転または振動させて、地中を推進させることによりケーシング先端を下水道本管へ到達させる。
【００１８】
（取付孔開孔工程）
先端にビットを取り付けたコアカッターをケーシングの中に入れ、コアカッターを回転させ先端のビットで下水道本管に取付孔を開ける。
【００１９】
（取付管挿入工程）
可撓継手により先端にメカロック支管を取り付けた取付管をケーシングの中へ通して、下水道本管の取付孔にメカロック支管の鍔部を当接する。なお、鍔部内面が取付孔近傍の下水道本管外周面に当接可能な断面円弧状を呈するので、取付孔近傍の下水道本管外周面を鍔部が覆う様にセットすることができる。
【００２０】
（爪片掛止工程）
拡張用治具を取付管の中へ通して円筒下部内へ臨ませると、拡張用治具に押されて爪片が拡がる。この際、軸溝内のピンを支点として爪片が回動し、Ｌ字溝内を突起が案内されるので、爪片の縦板部が凹部内に嵌め込まれ、爪片の引っ掛部が下水道本管の取付孔孔縁を掛止する。
【００２１】
（ハンドル回転工程）
ケーシングと取付管との隙間へハンドル回転用筒を挿入し、ハンドル回転用筒を締付輪に臨ませ、掴持部でハンドルを掴む。
掴持部がハンドルを掴んでいるので、地上でハンドル回転用筒を回すとハンドルが廻る。
【００２２】
内円筒の円筒下部がフランジ内に嵌め込まれ、中間部外周にネジが形成され、段部下方の、円筒外周とフランジ内周間との隙間内へ環状パッキンを詰め込んでいるので、ハンドルを回すと、締付輪がフランジの外円筒を締め付けるので内円筒が上方向へ変位する。
メカロック支管は、取付孔近傍の下水道本管を、鍔部と爪片とで挟んでいるので、メカロック支管を介して、取付管を下水道本管の取付孔へ強固に接合できる。
（引き上げ工程）
掴持部をハンドルから外し、ハンドル回転用筒を地上に引き上げる。
【００２３】
請求項２の取付管と下水道本管との接続方法は、以下の利点を有する。
地中推進によりケーシング先端を下水道本管へ到達させるケーシング推進工程、および、コアカッターを回転させて先端のビットで下水道本管に取付孔を開ける取付孔開孔工程を含む全工程において、作業者は、地上から作業ができるので安全であり、手間もかからない。
【００２４】
メカロック支管を介して、取付管を下水道本管の取付孔へ強固に接合できるので、水密性が維持できる。
可撓継手により取付管の先端にメカロック支管を取り付けているので耐震性に優れる。
【発明を実施するための最良の形態】
【００２５】
取付管と下水道本管との接続は、下記に示す工程を経て行う。
（ケーシング推進工程）
ボーリングマシンを用い、金属製のケーシングを地中推進させてケーシング先端を下水道本管へ到達させる。
【００２６】
（取付管挿入工程）
先端にビットを取り付けたコアカッタをケーシングの中に入れ、コアカッタを回転させ先端のビットで下水道本管に取付孔を開ける。
【００２７】
（取付管挿入工程）
コアカッタをケーシングから抜き、メカロック支管を可撓継手を用いて先端に取り付けた取付管をケーシングの中へ通して、下水道本管の取付孔にメカロック支管の鍔部を当接する。
【００２８】
（爪片掛止工程）
拡張用治具を取付管の中へ通して円筒下部内へ臨ませて爪片を拡げ、この爪片を下水道本管の取付孔孔縁に掛止する。
【００２９】
（ハンドル回転工程）
掴持部でハンドルを掴むことが可能なハンドル回転用筒を、ケーシングと取付管との隙間を通して締付輪に臨ませ、ハンドルを廻してメカロック支管を下水道本管に接続する。
（引き上げ工程）
ハンドル回転用筒を引き上げる。
【００３０】
なお、メカロック支管は、取付孔近傍の下水道本管外周面に鍔部内面が当接する鍔部、および内周に周設した段部の二箇所からガイド用突壁を上方へ延設し鍔部外面から立設する外円筒を有するフランジと、一組の凹部を内周壁に対向して形成し、凹部上端の各凹部側面に軸溝を形成し、凹部中部の各凹部側面に突起を複数組突設し、ガイド用突壁に嵌まる突状を外周面に形成し円筒下部がフランジ内に嵌め込まれ、中間部外周にネジを形成してなり、段部下側の、円筒外周とフランジ内周間との隙間内へ環状パッキンを詰め込んだ内円筒と、凹部内に嵌め込み可能な縦板部と縦板部下端から横方向に延設する引っ掛部とからなり、縦板部の各側面に、軸溝に軸支可能なピンおよび各突起を案内するためのＬ字溝を形成した断面略Ｌ字状の爪片と、ネジに嵌まるネジ溝を内周に設けハンドルを外周に形成してなり、内円筒に嵌め込まれる締付輪とからなる。
【００３１】
この取付管と下水道本管との接続方法は、以下の利点を有する。
全工程において、作業者は、地上から作業ができるので安全であり、手間もかからない。  メカロック支管を介して、取付管を下水道本管の取付孔へ強固に接合できるので、水密性が維持できる。
可撓継手を用いて、取付管の先端にメカロック支管を取り付けているので耐震性に優れる。
【実施例１】
【００３２】
本発明の実施例１（請求項１、２に対応）を図１〜図１２に基づいて説明する。
図１２に示す如く、取付管１と下水道本管２とを接続するための、取付管と下水道本管との接続構造Ａは、可撓継手３およびメカロック支管Ｍを介して、取付管１を下水道本管２の取付２１へ固定してなる。
【００３３】
取付管１（塩ビ製）は、民家から排出される汚水を一時的に溜める汚水枡と、地中に埋設される下水道本管２（ヒューム管製）とを連絡するための円筒管であり、トンネル内に敷設される。この取付管１は、汚水枡に接続した流出管（塩ビ製）に基端が接続され、可撓継手３の上部に先端が接続されている。
【００３４】
下水道本管２は、下水を下水処理場へ流すためのものであり、外周面の曲率に対応して管壁に取付孔２１が開けられている。この取付孔２１は、下水道本管２の外周面の曲率に対応して、後述するコアカッター８４のビット８５により穿設されている。
可撓継手３はゴム製であり、取付管１の下端を外嵌する継手上部３１の外周にステンレスバンド３３を取り付け、メカロック支管Ｍの内円筒４を外嵌する継手下部３２の外周にステンレスバンド３４を取り付けている。
【００３５】
メカロック支管Ｍは、内円筒４と、鍔部５１および外円筒５２を有するフランジ５と、縦板部６１と引っ掛部６２とを有する爪片６と、ハンドル７１を外周に形成した締付輪７とからなる。
【００３６】
内円筒４は、フランジ５の外円筒５２内に円筒下部が嵌め込まれ、中間部外周に雄ネジ４１を形成している。この内円筒４には、内周壁に凹部４２、４２が対向して形成され、凹部上端の凹部側面には上端から下に向かって軸溝４３、４３が形成されている。そして、凹部中部の凹部側面には円柱状の突起４４、４４および柱状の突起４５、４５〜４７、４７が凹部内方へ突出する様に形成されている。さらに、雄ネジ４１下の外周面には後述するガイド用突壁５４、５４内へ嵌まる突状４８、４８が下に向かって形成されている。  
【００３７】
フランジ５は、取付孔２１の近傍の下水道本管２の外周面に鍔部内面が当接可能な断面円弧状の鍔部５１と、内周に周設した段部５３からガイド用突壁５４を形成し、鍔部外面から立設する外円筒５２とを有する。フランジ５の鍔部５１の鍔部内面は、下水道本管２の外周面の曲率と同じ曲率に設定されている。
【００３８】
フランジ５の外円筒５２の段部５３は、段部下面（または段部上面）が取付孔２１近傍の外周面から同距離となる様に、外円筒内周に湾曲状態に周設されている。また、フランジ５の外円筒５２のガイド用突壁５４は、二本の平行する柱によって形成され、段部５３の最も低い位置（二カ所）から上方へ延設している。また、２２はゴムパッキン（環状パッキン）であり、フランジ５の外円筒５２の段部５３下側の、外円筒５２の内周と内円筒４の外周との隙間内へ詰め込まれている。
【００３９】
断面略Ｌ字状の爪片６は、凹部４２内に嵌め込み可能な縦板部６１と、縦板部６１の下端から横方向に延設する引っ掛部６２とからなる。
そして、縦板部６１の両側面には、軸溝４３、４３に軸支可能なピン６４、６４と、突起４４、４４〜４７、４７を案内するためのＬ字溝６５、６５〜６８、６８を形成している。
【００４０】
締付輪７は、雄ネジ４１に嵌まるネジ溝７２を内周に設け、ハンドル７１を外周に形成している。この締付輪７を内円筒４に嵌め込んで締め付けることにより、内円筒４を上方向へ変位させることができる。
【００４１】
取付管と下水道本管との接続構造Ａは、メカロック支管Ｍを用い、下記の工程を経て行う。
（ケーシング推進工程）
図１および図２に示す如く、櫓に設置したボーリングマシン８１を用い、金属製のケーシング８２を上下に振動（回転も可）させて、地中を推進させることによりケーシング８２の先端を下水道本管２へ到達させる。
【００４２】
（取付孔開孔工程）
図３に示す如く、先端にビット８５を取り付けたコアカッター８４をケーシング８２の中に入れ、モータでコアカッター８４を回転させ先端のビット８５で下水道本管２の管壁に取付孔２１を開ける。
【００４３】
（取付管挿入工程）
可撓継手３により先端にメカロック支管Ｍを取り付けた図４の（ａ）に示す取付管１をケーシング８２の中へ通して挿入し、図４の（ｂ）および図５に示す様に、下水道本管２の取付孔２１の孔縁にメカロック支管Ｍの鍔部５１を当接させる。なお、鍔部５１の内面が取付孔近傍の下水道本管２の外周面に当接可能な断面円弧状を呈するので、取付孔近傍の下水道本管２の外周面を鍔部５１が覆う様にセットすることができる。
【００４４】
（爪片掛止工程）
図６に示す如く、内円筒４の内径の最小部分に外径が略等しい拡張用治具Ｋを取付管１の中へ挿入して内円筒４の下部内へ臨ませると、拡張用治具Ｋに押されて、破線に示す位置から実線に示す位置へ爪片６、６が拡がる。この際、軸溝４３内のピン６４、６４を支点として爪片６、６が回動し、Ｌ字溝６５〜６８内を突起４４〜４７が案内されるので、爪片６、６の縦板部６１、６１が凹部４２内に嵌め込まれ、爪片６、６の引っ掛部６２、６２が下水道本管２の取付孔２１の孔縁を掛止する。
【００４５】
（ハンドル回転工程）
図７に示す如く、ケーシング８２と取付管１との隙間へハンドル回転用筒７３を挿入し、ハンドル回転用筒７３を締付輪７に臨ませ、掴持部７４でハンドル７１を掴む。
掴持部７４がハンドル７１を掴んでいるので、地上でハンドル回転用筒７３を回すとハンドル７１が廻わる。
【００４６】
内円筒４の円筒下部がフランジ５内に嵌め込まれ、中間部外周にネジが形成され、段部下方の、円筒外周とフランジ内周間との隙間内へ環状パッキン２２を詰め込んでいるので、ハンドルを回すと、締付輪７がフランジ５の外円筒を締め付けるので内円筒４が上方向へ変位する。
取付孔２１の近傍の下水道本管２を、メカロック支管Ｍの鍔部５１と爪片６とで挟んでいるので、取付管１が下水道本管２の取付孔２１へ強固に接合される（図８参照）。
【００４７】
（引き上げ工程）
掴持部７４をハンドル７１から外し、ハンドル回転用筒７３を地上に引き上げる。
【００４８】
本実施例の取付管と下水道本管との接続構造Ａは、以下の利点を有する。
取付管と下水道本管との接続構造Ａは、地中推進によりケーシング８２の先端を下水道本管２へ到達させるケーシング推進工程、および、コアカッター８４を回転させて先端のビット８５で下水道本管２に取付孔２１を開ける取付孔開孔工程を含む全工程において、作業者は、全て地上から作業ができるので安全であり、手間もかからない。
【００４９】
取付管と下水道本管との接続構造Ａは、取付孔２１近傍の下水道本管２の管壁を、メカロック支管Ｍの鍔部５１と爪片６とで挟んでいるので、メカロック支管Ｍを下水道本管２の取付孔２１へ強固に固定することができる（図８参照）。
【００５０】
取付管と下水道本管との接続構造Ａは、メカロック支管Ｍおよび可撓継手３を介して、取付管１を下水道本管２の取付孔２１へ強固に接合できるので、水密性が維持できる。
取付管と下水道本管との接続構造Ａは、取付管１の先端に、可撓継手３を用いてメカロック支管Ｍを取り付けているので耐震性に優れる。
【図面の簡単な説明】
【００５１】
【図１】メカロック支管を用いた、取付管と下水道本管との接続構造におけるケーシング推進工程の説明図である。
【図２】メカロック支管を用いた、取付管と下水道本管との接続構造におけるケーシング推進工程の説明図である。
【図３】メカロック支管を用いた、取付管と下水道本管との接続構造における取付孔開孔工程の説明図である。
【図４】（ａ）は先端にメカロック支管を取り付けた取付管の説明図であり、（ｂ）はその取付管を下水道本管へセットした状態を示す説明図である。
【図５】取付管と下水道本管との接続構造における取付管挿入工程の説明図であり、下水道本管の取付孔にメカロック支管の鍔部を当接させた状態を示す説明図である。
【図６】取付管と下水道本管との接続構造における爪片掛止工程の説明図であり、拡張用治具を挿入して爪片を拡げた状態を示す説明図である。
【図７】取付管と下水道本管との接続構造におけるハンドル回転工程の説明図であり、ケーシングと取付管との隙間へハンドル回転用筒を挿入して掴持部でハンドルを掴んだ状態を示す説明図である。
【図８】ハンドルを回し終えたところを示す説明図である。
【図９】メカロック支管の分解図である。
【図１０】拡張用治具を挿入する前で、爪片が待機位置にある状態を示す説明図である。
【図１１】拡張用治具を挿入する前で、爪片が待機位置にある状態を示す説明図である。
【図１２】メカロック支管および可撓継手を用いて、取付管と下水道本管とを接続した状態の説明図である。
【符号の説明】
【００５２】
Ａ  取付管と下水道本管との接続構造
Ｍ  メカロック支管
１  取付管
２  下水道本管
３  可撓継手
４  内円筒
５  フランジ
６  爪片
２１  取付孔
２２  環状パッキン
４１  雄ネジ
４２  凹部
４３  軸溝
４４  突起
４５  突起
４６  突起
４７  突起
４８  突状
５１  鍔部
５２  外円筒
５３  段部
５４  ガイド用突壁
６１  縦板部
６２  引っ掛部
６４  ピン
６５  Ｌ字溝
６６  Ｌ字溝
６７  Ｌ字溝
６８  Ｌ字溝
７１  ハンドル
８４  コアカッター
８５  ビット
【図１】
0005059593.tif 000002
【図２】
0005059593.tif 000003
【図３】
0005059593.tif 000004
【図４】
0005059593.tif 000005
【図５】
0005059593.tif 000006
【図６】
0005059593.tif 000007
【図７】
0005059593.tif 000008
【図８】
0005059593.tif 000009
【図９】
0005059593.tif 000010
【図１０】
0005059593.tif 000011
【図１１】
0005059593.tif 000012
【図１２】
0005059593.tif 000013